(57)【要約】【課題】チューブ容器から取り出した洗浄化粧料を泡立て易く、使い勝手のよいチューブ容器用キャップを提供する。【解決手段】本発明は、洗顔料を充填するチューブ容器10の口部10ａに固定される注出用ベース２と、この注出用ベース２に合わさる蓋体３と、蓋体３を揺動可能に繋ぐヒンジ４とを備えるチューブ容器用ヒンジキャップであって、注出用ベース２は、蓋体３の合せにより該蓋体３で密閉されチューブ容器10の口部10ａに通じる複数の微小穴７を形成した隔壁６を内装する筒体部５を備える。【選択図】図３
2006206160.tif 000002
【特許請求の範囲】
【請求項１】
洗浄化粧料を充填するチューブ容器の口部に固定される注出用ベースと、この注出用ベースに合わさる蓋体とを備えるチューブ容器用キャップにおいて、
前記注出用ベースは、前記蓋体を揺動可能に繋ぐヒンジと、前記蓋体の合せにより該蓋体で密閉されチューブ容器の口部に通じる複数の微小穴を内装する筒体部とを備えることを特徴とするチューブ容器用ヒンジキャップ。
【請求項２】
前記微小穴を環状に配列して複数の微小穴からなる環状帯を形成したことを特徴とする請求項１に記載のチューブ容器用ヒンジキャップ。
【請求項３】
前記環状帯を同心円状に複数配列したことを特徴とする請求項２に記載のチューブ容器用ヒンジキャップ。
【請求項４】
洗浄化粧料を充填するチューブ容器の口部に固定される注出用ベースと、この注出用ベースに合わさる蓋体とを備えるチューブ容器用キャップにおいて、
前記注出用ベースは、前記蓋体を揺動可能に繋ぐヒンジと、前記蓋体の合せにより該蓋体で密閉されチューブ容器の口部に通じる少なくとも１つのスリットを内装する筒体部とを備えることを特徴とするチューブ容器用ヒンジキャップ。
【請求項５】
前記スリットを並列に複数配列したことを特徴とする請求項４に記載のチューブ容器用ヒンジキャップ。
【請求項６】
前記スリットに、洗浄化粧料を反り返った状態に注出する湾曲部を設けたことを特徴とする請求項４又は５に記載のチューブ容器用ヒンジキャップ。
【請求項７】
洗浄化粧料を充填するチューブ容器の口部に固定される注出用ベースと、この注出用ベースに合わさる蓋体とを備えるチューブ容器用キャップにおいて、
前記注出用ベースは、前記蓋体を揺動可能に繋ぐヒンジと、前記蓋体の合せにより該蓋体で密閉されチューブ容器の口部に通じる１つ穴を内装する筒体部とを備え、この筒体部の１つ穴を円形の一部が欠けた断面形状にしてなることを特徴とするチューブ容器用ヒンジキャップ。
【発明の詳細な説明】
【技術分野】
【０００１】
本発明は、洗浄化粧料を充填するチューブ容器の口部に固定される注出用ベースと、この注出用ベースに合わさる蓋体とを備えるチューブ容器用キャップに関するものである。
【背景技術】
【０００２】
従来のチューブ容器には、香料等を収容した化粧カプセルを含んだ内容物が充填されるものがあり、化粧カプセルを効率的に破壊できるよう、複数の第１注出穴を有する基筒部と、これら第１注出穴よりも小径な第２注出穴を有する外筒部とからなる注出部を設けたチューブ容器は既知である（例えば、特許文献１参照）。
【０００３】
しかしながら、上記注出部では、化粧カプセルを破壊し易くなるものの、基筒部と外筒部との間が狭く、内容物が練り物である場合、内容物が押し固められて出てくるため、取り出した内容物を泡立てようとしても、うまく空気や水と混ざらず、泡立て難いという不都合が生じる。
【０００４】
一方、練り歯磨きを内容物とするチューブ容器において、歯ブラシ上に安定状態で取り出せるよう、注出口の形状をほぼ楕円形にした注出口が既知である（例えば、特許文献２参照）。
【０００５】
しかしながら、上記従来の注出口も、内容物が塊で出てくるため、取り出した内容物を泡立てようとしても、うまく空気や水と混ざらず、泡立て難いという不都合が生じる。更に、かかる従来技術は、注出口が異形であるため、注出口に取り付けられる蓋体には両手を使って着脱させるものを使用しなければならず、使い勝手が悪いという不都合がある。
【０００６】
【特許文献１】特開平９−２４９９号公報
【特許文献２】実開昭６１−１２３０４２号公報
【発明の開示】
【発明が解決しようとする課題】
【０００７】
本発明の解決しようとする課題は、チューブ容器から取り出した内容物が泡立て難いという点と、蓋体の使い勝手が悪いという点とを同時に改善することにある。
【課題を解決するための手段】
【０００８】
本発明は、洗浄化粧料を充填するチューブ容器の口部に固定される注出用ベースと、この注出用ベースに合わさる蓋体とを備えるチューブ容器用キャップにおいて、前記注出用ベースは、前記蓋体を揺動可能に繋ぐヒンジと、前記蓋体の合せにより該蓋体で密閉されチューブ容器の口部に通じる複数の微小穴を内装する筒体部とを備えることを特徴とするチューブ容器用ヒンジキャップである。また、本発明にあっては、前記微小穴を環状に配列して複数の微小穴からなる環状帯を形成することが好ましい。この場合、前記環状帯を同心円状に複数配列してもよい。なお、本発明において、筒体部に微小穴を内装するに際しては、当該筒体部と一体成形してもよいし、微小穴を別体に設けて筒体部に取り付けてもよい。
【０００９】
また、本発明は、洗浄化粧料を充填するチューブ容器の口部に固定される注出用ベースと、この注出用ベースに合わさる蓋体とを備えるチューブ容器用キャップにおいて、前記注出用ベースは、前記蓋体を揺動可能に繋ぐヒンジと、前記蓋体の合せにより該蓋体で密閉されチューブ容器の口部に通じる少なくとも１つのスリットを内装する筒体部とを備えることを特徴とするチューブ容器用ヒンジキャップである。本発明にあっては、前記スリットを並列に複数配置することができ、更に、前記スリットには、洗浄化粧料を反り返った状態に注出する湾曲部を設けることが好ましい。なお、本発明においても、筒体部にスリットを内装するに際しては、当該筒体部と一体成形してもよいし、スリットを別体に設けて筒体部に取り付けてもよい。
【００１０】
更に、本発明は、洗浄化粧料を充填するチューブ容器の口部に固定される注出用ベースと、この注出用ベースに合わさる蓋体とを備えるチューブ容器用キャップにおいて、前記注出用ベースは、前記蓋体を揺動可能に繋ぐヒンジと、前記蓋体の合せにより該蓋体で密閉されチューブ容器の口部に通じる穴を内装する筒体部とを備え、この筒体部の１つ穴を円形の一部が欠けた断面形状にしてなることを特徴とするチューブ容器用ヒンジキャップである。なお、本発明においても、筒体部に、円形の一部が欠けた断面形状からなる１つ穴を内装するに際しては、当該筒体部と一体成形してもよいし、前記１つ穴を別体に設けて筒体部に取り付けてもよい。
【発明の効果】
【００１１】
本発明にあっては、チューブ容器に充填した洗浄化粧料は、筒体部に内装した複数の微小穴から押し出されるから、筒体部の内部開口全体に密着することなく一部外気と触れ合った状態で外部に取り出される。かかる構成によれば、チューブ容器に充填した洗浄化粧料は、押し固められることなく筒体部を通して程よい硬さのままで外部に取り出されるため、空気や水と混ざり易く、泡立てが容易になる。加えて本発明によれば、前記蓋体がヒンジを介してベースに繋がるため、蓋体の開閉を片手操作で行うことができて使い勝手がよい。
【００１２】
また、本発明にあっては、前記筒体部に、チューブ容器の口部に通じるスリットを少なくとも１つ内装してもよい。この場合も、チューブ容器に充填した洗浄化粧料は、筒体部に内装したスリットから押し出されるから、筒体部の内部開口全体に密着することなく一部外気と触れ合った状態で外部に取り出される。かかる構成によれば、チューブ容器に充填した洗浄化粧料は、押し固められることなく筒体部を通して程よい硬さのままで外部に取り出されるため、空気や水と混ざり易く、泡立てが容易になる。この場合も、前記蓋体がヒンジを介してベースに繋がるため、蓋体の開閉を片手操作で行うことができて使い勝手がよい。
【００１３】
更に、本発明にあっては、前記筒体部に内装した１つ穴を円形の一部が欠けた断面形状にしてもよい。この場合、チューブ容器に充填した洗浄化粧料は、その断面形状が円形の一部が欠けた状態で押し出されるから、筒体部の内部開口全体に密着することなく一部外気と触れ合った状態で外部に取り出される。かかる構成によれば、チューブ容器に充填した洗浄化粧料は、押し固められることなく筒体部を通して程よい硬さのままで外部に取り出されるため、空気や水と混ざり易く、泡立てが容易になる。この場合も、前記蓋体がヒンジを介してベースに繋がるため、蓋体の開閉を片手操作で行うことができて使い勝手がよい。
【発明を実施するための最良の形態】
【００１４】
図１(ａ),(ｂ)はそれぞれ、本発明に係るヒンジキャップ１を採用したチューブ容器10を示す正面図及び背面図である。また、図２は、図１のＡ−Ａ断面図であり、図３は、Ａ−Ａ断面にて、蓋体が開放された状態を示す断面図である。
【００１５】
チューブ容器10は、図１に示す如く、注出口10ａ（図２,３参照。）を有するヘッド11と、このヘッド11に繋がり内容物を収容する胴部12とを備え、この胴部12の一端をヒートシールや超音波などの方法で封緘すると共に、他端にヘッド11を取り付けて形成されており、注出口10ａにはキャップ１が取り付けられている。
【００１６】
キャップ１は、チューブ容器10の口部10ａに固定される注出用ベース２と、この注出用ベース２に合わさる蓋体３とを備える。具体例としては、注出用ベース２は、口部10ａに螺子等により固定される内筒部２ａと、この内筒部２ａに天面部２ｃを介して一体に繋がり該内筒部２ａと同心円状に配置される外筒部２ｂとからなり、この外筒部２ｂにヒンジ４を介して蓋体３が揺動可能に一体に繋がっている。ヒンジ４は、ベース２と蓋体３とを揺動自在に繋ぐ２つの連結部４ａと、ベース２及び蓋体３にそれぞれ回動自在に連結され蓋体３に閉じ力を与えるほぼＬ字形のヒンジアーム４ｂとからなる。これにより、蓋体３は、チューブ容器10の不使用時には、図２に示す如く、天面部２ｃに合わさって閉じ状態にしておき、使用時には、図３に示す如く、ヒンジ４を介しての揺動により天面部２ｃから離間してベース２を開放状態にする。
【００１７】
天面部２ｃは、チューブ容器10の口部10ａとの間をシールする環状のシール突起２ｓと、チューブ容器10の口部10ａに通じる内部開口５ａを有する筒体部５とを備える。筒体部５の内部開口５ａには、この内部開口５ａを封止する隔壁６が設けられており、この隔壁６には、チューブ容器10の口部10ａに通じる複数の微小な丸穴７が形成されている。
【００１８】
図４(ａ)〜(ｃ)はそれぞれ、図１に示すヒンジキャップ1に採用される隔壁６を例示する平面図である。まず、図４(ａ)は、隔壁６に、チューブ容器10の口部10ａに通じる３つの微小穴７を内部開口５ａの軸線Ｏ周りに環状に配列して環状帯Ｂ1を形成したものである。この場合、チューブ容器に充填した洗顔料は、筒体部５に内装した３つの微小穴から押し出されるから、筒体部５の内部開口５ａ全体に密着することなく一部外気と触れ合った状態で外部に取り出される。かかる構成によれば、チューブ容器10に充填された洗顔料は、筒体部５にて押し固められることなく程よい硬さのままで外部に取り出されるため、空気や水と混ざり易く、泡立てが容易になる。加えて本形態においては、蓋体３がヒンジ４を介してベース２に繋がるため、蓋体３の開閉を片手操作で行うことができて使い勝手がよい。
【００１９】
また、微小穴７の配列は環状に限らず、その配列をランダムに行う等、様々な変更することができるが、本形態の如く、微小穴７を環状に配列して複数の微小穴７からなる環状帯を形成すれば、取り出された洗顔料の泡立てが更に容易になる。更に、微小穴７の個数も、少なくとも２つ以上であればよく、例えば、図４(ｂ)に示す如く、４つの微小穴７を環状に配列するなどしてもよい。加えて、図４(ｃ)に示す如く、複数の微小穴７からなる環状帯Ｂを同心円状に複数配列(Ｂ1〜Ｂ3)すれば、洗顔料の泡立てが最も容易になる。
【００２０】
なお、複数の微小穴７を環状に配列して環状帯を形成する場合には、様々な形態がある。例えば、図５は、図４（ａ）に示す隔壁６の変形例を示す平面図である。
【００２１】
図５にて、隔壁６は、チューブ容器10の口部10ａに通じる３つの扇形の微小穴７ａを有し、これらの微小穴７ａを内部開口５ａの軸線Ｏ周りに環状に配列して環状帯Ｂ1を形成したものである。この場合も、チューブ容器10に充填した洗顔料は、筒体部５の内部開口５ａから微小穴７ａから押し出されるから、筒体部５の内部開口５ａ全体に密着することなく一部外気と触れ合った状態で外部に取り出される。このため、かかる構成によっても、チューブ容器10に充填した洗顔料は、押し固められることなく筒体部５を通して程よい硬さのままで外部に取り出されるため、空気や水と混ざり易く、泡立てが容易になる。
【００２２】
更に、本発明にあっては、筒体部５には、チューブ容器10の口部10ａに通じるスリットを少なくとも１つ内装してもよい。図６(ａ)〜(ｄ)はそれぞれ、微小穴に替えてスリットが形成された隔壁６を例示する平面図である。なお、以下、各形態においては、隔壁６に形成したスリット以外は、図１,２のヒンジキャップと同一の構成であるため、図１〜４と同一部分は、図１,２をもってその説明を省略する。
【００２３】
まず、図６(ａ)は、隔壁６に、チューブ容器10の口部10ａに通じる１つのスリット８ａを直線状に形成したものである。この場合も、チューブ容器10に充填した洗顔料は、筒体部５に内装したスリット８ａから押し出されるから、筒体部５の内部開口５ａ全体に密着することなく一部外気と触れ合った状態で外部に取り出される。かかる構成によれば、チューブ容器10に充填された洗顔料は、筒体部５にて押し固められることなく程よい硬さのままで外部に取り出されるため、空気や水と混ざり易く、泡立てが容易になる。
【００２４】
また、隔壁６におけるスリットは直線状のものに限らず、図６(ｂ)に示す如く、円弧状のスリット８ｂとしてもよい。図６(ｂ)に示すスリット８ｂは、両端が円弧状に湾曲した湾曲部８ｂ1を有する。この場合、筒体部５に内装したスリット８ｂから洗顔料が反り返った状態で押し出されるから、筒体部５の内部開口５ａ全体に密着することなく、しかも、外気と巻き込んだ状態で外部に取り出される。かかる構成によれば、空気や水が更に混ざり易く、泡立てが更に容易になる。
【００２５】
更に、スリットに設けた湾曲部の形態は、図６(ｂ)に限ることなく、例えば、図６(ｃ)に示す如く、Ｓ字状のスリット８ｃとしてもよい。図６(ｃ)に示すスリット８ｃは、直線部８ｃ1と、この直線部８ｃ1の両端に繋がりＵ字形に湾曲した湾曲部８ｃ2とからなる。この場合、筒体部５に内装したスリット８ｃから洗顔料が反り返った状態で押し出されるから、筒体部５の内部開口５ａ全体に密着することなく、しかも、外気と巻き込んだ状態で外部に取り出される。かかる構成によっても、空気や水が更に混ざり易く、泡立てが更に容易になる。
【００２６】
また、隔壁６におけるスリットは、１つに限ることなく、例えば、図６(ｄ)に示す如く、複数のスリットを並列に複数配列してもよい。図６(ｄ)の隔壁６は、直線状のスリット８ｄと、このスリット８ｄを平行に挟み込んで隔壁６に隣接する２つの半円形のスリット８ｅとを有する。この場合、筒体部５に内装したスリット８ｄ,８ｅから洗顔料が空気層を挟み込んだ状態で押し出されるから、筒体部５の内部開口５ａ全体に密着することなく、しかも、外気と挟み込んだ状態で外部に取り出される。かかる構成によっても、空気や水が更に混ざり易く、泡立てが更に容易になる。
【００２７】
更に、本発明にあっては、筒体部５に内装した微小穴７を円形の一部が欠けた断面形状にしてもよい。
【００２８】
図７は、図１に示すヒンジキャップ1に採用される他の隔壁６を例示する平面図である。なお、以下、本形態においては、隔壁６以外は、図１,２のヒンジキャップと同一の構成であるため、図１〜６と同一部分は、図１,２をもってその説明を省略する。
【００２９】
図７にて、隔壁６は、チューブ容器10の口部10ａに通じる１つ穴９を有し、この１つ穴９は、円形を構成する外観形状６ｅの一部がほぼ扇形に欠けた断面形状を有する。この扇形部分６ａは、筒体部５の内部開口５ａの中心軸線Ｏ向かって伸びる障壁を形成する。なお、扇形部分６ａには、図６(a)に示す如く、中心軸線Ｏの周辺領域に当たる部分に、円形の突出部６ｂが形成されている。
【００３０】
この場合、チューブ容器10に充填した洗顔料は、その断面形状が円形の一部が扇形部分６ａ及び円形の突出部６ｂからなる形状に欠けた状態で押し出されるから、筒体部５の内部開口５ａ全体に密着することなく一部外気と触れ合った状態で外部に取り出される。かかる構成によれば、チューブ容器10に充填した洗顔料は、押し固められることなく筒体部５を通して程よい硬さのままで外部に取り出されるため、空気や水と混ざり易く、泡立てが容易になる。
【００３１】
上述したところは本発明の形態を例示したに過ぎず、様々な変更が可能である。例えば、微小穴７は、図５に例示の如く、丸穴に限ることなく、三角、矩形等の多角形断面からなる穴であってもよい。また、隔壁６は、筒体部５の内部開口５ａ内に設けてもよい。更に、筒体部５に内装した微小穴７，７ａ、スリット８ａ〜８ｄ又は１つ穴９は、隔壁６に別体に設けて筒体部５に取り付けるのではなく、筒体部５と一体に成形してもよい。
【図面の簡単な説明】
【００３２】
【図１】(ａ),(ｂ)はそれぞれ、本発明に係るヒンジキャップを採用したチューブ容器を示す正面図及び背面図である。
【図２】図１のＡ−Ａ断面図である。
【図３】図１のＡ−Ａ断面にて、蓋体が開放された状態を示す断面図である。
【図４】(ａ)〜(ｃ)はそれぞれ、本発明に係るヒンジキャップに採用される隔壁を例示する平面図である。
【図５】図４（ａ）に示す隔壁の変形例を示す平面図である。
【図６】(ａ)〜(ｄ)はそれぞれ、本発明に係るヒンジキャップに採用される他の隔壁を例示する平面図である。
【図７】本発明に係るヒンジキャップに採用される更に他の隔壁を例示する平面図である。
【符号の説明】
【００３３】
１    ヒンジキャップ
２    注出ベース
３    蓋体
４    ヒンジ
４ａ  ヒンジ連結部
４ｂ  ヒンジアーム
５    筒体部
５ａ  内部開口
６    隔壁
６ａ  扇形形状部
６ｂ  円形突出部
７    微小穴
８ａ〜８ｄ    スリット
９    １つ穴
【図１】
2006206160.tif 000003
【図２】
2006206160.tif 000004
【図３】
2006206160.tif 000005
【図４】
2006206160.tif 000006
【図５】
2006206160.tif 000007
【図６】
2006206160.tif 000008
【図７】
2006206160.tif 000009